(57)【要約】【目的】作業性の良く、軽量化につながり、面積の広いカメラのプリント基板実装横造を提供する【構成】カメラボディの外装部材とほぼ同じくらいの面積を有する硬質プリント基板１，２はカメラボディの背面に配置され、硬質プリント基板１と硬質プリント基板２はカメラボディの背面と平行するように配置され、コネクタを介して電気的に接続される。カメラの裏カバー１１は、カメラの機能を制御する多数のボタン・ダイヤルが搭載され、これらの電気信号はフレキシブルプリント基板５のコネクター部７と硬質プリント基板１に配置されたコネクターを介して電気的に接続される。【選択図】　　　　図１
2004117855.tif 000002
【特許請求の範囲】
【請求項１】
カメラの電気部品が載置され、他のプリント基板と電気的接続を行うため少なくとも１個以上のコネクタを載置したプリント基板と、該プリント基板のコネクタと合致するコネクタを有したプリント基板をカメラボディ背面に並列に配置し、該コネクタにより電気的に接続したことを特徴とするカメラのプリント基板実装構造。
【請求項２】
該カメラボディの背面に並列に配設されたプリント基板のシャッター側に撮像素子を実装したプリント基板を配置したことを特徴とする請求項１に記載のカメラのプリント基板実装構造。
【発明の詳細な説明】
【０００１】
【発明の属する技術分野】
本発明はカメラのプリント基板実装構造、特にカメラボディ内の小スペースに収納可能な、カメラのプリント基板実装構造に関する。
【０００２】
【従来の技術】
従来から、カメラの電気回路の配線実施は、カメラ内の狭い空間を有効利用するために、可撓性を有するフレキシブルプリント基板を有することが多かった。
【０００３】
例えばカメラに対するフレキシブルプリント基板の実装構造として、実装するフレキシブルプリント基板を、カメラ本体の上面、下面、側面等の各実装面部用の複数枚の分割体とし、かつ該各分割体が実装されない共通のカメラ本体部面に向かってそれぞれ折り曲げ、この面部上で全体一連に結線状態とするもので、基板を実装する際の作業性の向上、コストダウンのを図ったものが提案されている（例えば、特許文献１参照。）。
【０００４】
しかし、近年のカメラは小型化が急速に進み、且つ、電子化も高度な進歩により、カメラが多機能化を求めるようになっている。そのため、これに伴い回路の実装規模が大きくなり、各スイッチ類やセンサー類がカメラ内の狭く小さな部品間に介在するようになり、カメラ内の狭い空間を縫うような複雑なものになっている。
【０００５】
このため、電気部品間の配線のためにフレキシブルプリント基板を用いて多数の揚所に設置し、電気部品の配置も分散化され複雑なものになっていた。このような構成により、電気部品の配線のためには、フレキシブルプリント基板をあまり使わず簡単で広い面積を有するプリント基板が要求されるようになってきた。
【０００６】
このようなカメラのプリント基板実装構造の一例として、カメラボディの背面にプリント基板を配置し、カメラの電気部品が載置され、表面に他のプリント基板と電気的接続を行うための複数のコネクタを載置したプリント基板と、上記カメラボディの上記背面以外の他の面に設けられ、上記のプリント基板の上記複数のコネクタと電気的に接続される複数のプリント基板とを具備することを特徴とし、作業性の良い実装面積の広いカメラのプリント基板実装構造を提供することを目的とする提案がされている（例えば、特許文献２参照。）。
【０００７】
【特許文献１】
特開昭６２−１４１５２４公報
【０００８】
【特許文献２】
特開２００１−３０８４８６号公報
【０００９】
【発明が解決しようとする課題】
しかしながら、上記特開２００１−３０８４８６号公報で示されるカメラのプリント基板構造では、複数のフレキシブルプリント基板を用いて電気部品間の配線のために広い面積を作っているが、複数のフレキシブルプリント基板を使用することによって組立の手間数が増え、複数のフレキシブルプリント基板によって電子部品が分散されるために電子間のやり取りの間でノイズが起きる可能性が増加する。
【００１０】
また、上記特開昭６２−１４１５２４号公報のプリント基板の構造では分割された基板は複数であるためにカメラ本体への装着が面倒になるばかりでなく、カメラ内の隙間を縫っているために折り曲げている部分が多いため、実装面積も小さいという問題点がある。
【００１１】
本発明はこれらの先例に鑑みてなされたものであり、作業性の良く、軽量化につながり、面積の広いカメラのプリント基板実装横造を提供することを目的としている。
【００１２】
【課題を解決するための手段】
上記の目的を達成するために、本発明によるカメラのプリント基板実装構造は、上下面、左右面に新しく複数のフレキシブルプリント基板使用するのではなく、カメラボディの後面を形成する外装部材と同じぐらいの広さをもつ２つの硬質プリント基板が、カメラボディの背面に並列に配置されており、該お互いの硬質プリント基板に載置されたコネクタ同士を嵌入することによって電気的に接続されるプリント基板を具備することを特徴とし、カメラボティの背面に配置されており、カメラの電気部品が載置され、お互いのプリント基板と電気的接続を行うため少なくとも１個以上のコネクタを載置したプリント基板と、該プリント基板のコネクタと合致するコネクタを有したプリント基板がカメラボディ背面に並列に配置され、該コネクタにより電気的に接続されるプリント基板を具備する。
【００１３】
該カメラボディの背面に並列に配設されたプリント基板の電気的接続が、プリント基板双方の表面に載置されたコネクタによっておこなわれ、また、該カメラボディの上面に並列に配設されたフレキシブルプリント基板と、背面に並列に配置されたプリント基板が、コネクターにより電気的に接続されている。そして、該カメラボディの背面に並列に配設されたプリント基板のシャッター側に撮像素子を実装したプリント基板を配置した。
【００１４】
【発明の実施の形態】
以下、図面を参照して本発明の実施形態を説明する。図１は、カメラボデイの後方側より見た硬質プリント基板１と硬質プリント基板２によるプリント基板実装構造を示す斜視図である。図２は、カメラボディを側面側からみてボディ内で背面に配置された硬質プリント基板１と硬質プリント基板２及びコネクタによるプリント基板実装構造を示す断面図である。図３は、カメラボディの裏カバー１１の内側に配置してあるフレキシブルプリント基板１３と硬質プリント基板１、コネクタのプリント基板実装構造を示す断面図である。
【００１５】
硬質プリント基板１，２はカメラボディの背面に配置されており、図示していないカメラボディの外装部材とほぼ同じくらいの面積を有することができる。硬質プリント基板１と硬質プリント基板２はカメラボディの背面と平行するように配置されており、コネクタ３、４を介して電気的に接続される。
【００１６】
図１と図３に示す１１は該カメラの裏カバーであり、カメラの機能を制御する多数のボタン・ダイヤルが搭載されている。これらの電気信号はフレキシブルプリント基板１３のコネクター部１４と硬質プリント基板１に配置されたコネクター１５を介して電気的に接続された後に不図示のビスによってカメラ本体に結合される。
【００１７】
すなわち、上記の硬質プリント基板１と硬質プリント基板２はカメラの背面にできた狭い空間に広い面積を有することによって、多くのスイッチ類やセンサー類を分散することなく、電子部品間の配線も必要以上に長くする必要がなくなる。
【００１８】
図１おいて、プリント基板とカメラボディの上面で図示されていない、ペンタプリズム部を沿うような形態でフレキシブルプリント基板５を配置し、該フレキシブルプリント基板５に図示されていないシャッター等の各種スイッチ等が電気的接続されるように載置されている。
【００１９】
硬質プリント基板１と硬質プリント基板２は前述の通りコネクタ３，４で嵌入し、撮像素子８と共にカメラボディ背面に配置されていて、フレキシブルプリント基板１２はコネクタ９、１０を用いて硬質プリント基板２に載置されたコネクタに嵌入する。
【００２０】
フレキシブルプリント基板５をほぼ９０度に曲折にし、コネクタ６とコネクタ７が嵌入することによって、電気的接続を行うことができる。
【００２１】
つまり、電気回路の配線が近い場所に集まることで、電気的接続が容易になり配線的にも設計しやすくなる。
【００２２】
図２おいて、硬質プリント基板１と硬質プリント基板２のシャッター側に撮像素子８が設置してあり、該硬質プリント基板１と撮像素子８はフレキシブルプリント基板１２のコネクタ１０と硬質プリント基板２のコネクタ９を介して電気的接続ができるようになっている。
【００２３】
撮像素子８が硬質プリント基板２の近くにあることで、画像情報もノイズを抑え正確に画像情報を得ることができる。
【００２４】
【発明の効果】
以上説明したように本発明によれば、作業性の良いカメラのプリント基板実装構造を提供できる。つまり、硬質プリント基板１，２の間に複数個のコネクタを載置して、一電子部品間でのノイズが起にくくなるり、コネクタ３、４を介せば組立も簡単にでき、電気回路の配線が近い場所に集まることで、電気的接続が容易になり配線的にも設計しやすくなる。また必要以上のフレキシブルプリント基板を使うことなくパーツ数が減り、軽量化されコストダウンにもつながる。尚、硬質プリント基板を２枚並列するように説明してきたが、例えば片方の硬質プリント基板をフレキシブルプリント基板に変えて更に狭い空間に設置することも問題が無いことは言うまでもない。また、ここではデジタルカメラを例にあげて説明を行ってきたが、一眼レフカメラやコンパクトカメラなどにも応用してもかまわない。
【図面の簡単な説明】
【図１】カメラボディを後面から見た状態のカメラのプリント基板実装構造を示す斜視図である。
【図２】カメラボディを側面から見た状態のカメラのプリント基板実装構造を示す断面図である。
【図３】カメラボディの裏カバーとプリント基板実装構造を示す断面図である。
【符号の説明】
１，２…硬質プリント基板
３，４，６，７，９，１０，１４，１５…コネクタ
５，１２，１３…フレキシブルプリント基板
８…撮像素子
１１…裏カバー
【図１】
2004117855.tif 000003
【図２】
2004117855.tif 000004
【図３】
2004117855.tif 000005